(57)【要約】      （修正有）【課題】無線ネットワークにおいて、他の通信のスケジューリングに基づいて、便宜的なリレー・ノード通信を提供する。【解決手段】アクセス・ポイントとのバックホール・リンクと、モバイル・デバイスとのアクセス・リンクとを維持しうる。バックホール・リンクがアクティブである時間スロットが決定され、モバイル・デバイスとのアクセス・リンク通信がスケジュールされている間、回避されうる。さらに、アクセス・ポイントとモバイル・デバイスとの間に関連付けられた時間スロットが決定され回避されるように、アクセス・ポイントからモバイル・デバイスへのリソース割当がモニタおよび復号されうる。したがって、リレー・ノードは、バックホール・リンクが非アクティブであり、および／または、モバイル・デバイスがアクセス・ポイントとの直接的な通信を占有していない時間スロットにおいて、モバイル・デバイスと通信しうる。【選択図】図５
2014096825.tif 000002
【特許請求の範囲】
【請求項１】
方法であって、
１または複数のアクセス・ポイントとのバックホール・リンクを維持することと、
前記バックホール・リンクを介して前記１または複数のアクセス・ポイントから情報が受信される１または複数のバックホール・リンク・リソースを決定することと、
アクセス・リンクを介して１または複数のモバイル・デバイスと通信するために、前記１または複数のバックホール・リンク・リソースに基づいて、１または複数のアクセス・リンク・リソースを選択することを備える方法。
【請求項２】
前記１または複数のアクセス・リンク・リソースは、前記１または複数のバックホール・リンク・リソースとは異なるように選択される請求項１に記載の方法。
【請求項３】
前記１または複数のモバイル・デバイスのうちの少なくとも１つに関連する前記１または複数アクセス・ポイントからのリソース割当を復号することをさらに備える請求項１に記載の方法。
【請求項４】
前記１または複数のアクセス・リンク・リソースはさらに、前記リソース割当てに対応する１または複数のリソースを回避することに少なくとも部分的に基づいて選択される請求項３に記載の方法。
【請求項５】
前記１または複数のアクセス・リンク・リソースによって、前記アクセス・リンクを介して、前記１または複数のモバイル・デバイスと通信することをさらに備える請求項１に記載の方法。
【請求項６】
前記１または複数のアクセス・リンク・リソースに少なくとも部分的に基づいて、前記１または複数のモバイル・デバイスへリソース割当メッセージを送信することをさらに備える請求項５に記載の方法。
【請求項７】
無線通信装置であって、
アクセス・ポイントとのバックホール・リンクを維持し、前記バックホール・リンクがアクティブである１または複数のバックホール・リンク・リソースを予測し、アクセス・リンクを用いてモバイル・デバイスと通信するための、前記１または複数のバックホール・リンク・リソースとは異なるリソースのセットを選択するように構成された少なくとも１つのプロセッサと、
前記少なくとも１つのプロセッサに接続されたメモリとを備える無線通信装置。
【請求項８】
前記少なくとも１つのプロセッサはさらに、前記モバイル・デバイスに関連する前記アクセス・ポイントからリソース割当を受信し、前記リソース割当に関連する、割り当てられたリソースを決定するように構成され、
前記少なくとも１つのプロセッサは、前記リソース割当に関連する、前記割り当てられたリソースとさらに異なるリソースのセットを選択する請求項７に記載の無線通信装置。
【請求項９】
前記１または複数のバックホール・リンク・リソースを予測することは、前記アクセス・ポイントから受信されたリソース割当を分析することを含む請求項７に記載の無線通信装置。
【請求項１０】
前記少なくとも１つのプロセッサは、前記アクセス・リンクを介して前記モバイル・デバイスと通信するように構成された請求項７に記載の無線通信装置。
【請求項１１】
装置であって、
バックホール・リンクを介して１または複数のアクセス・ポイントと通信する手段と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットをスケジュールする手段とを備える装置。
【請求項１２】
前記スケジュールする手段は、前記１または複数のバックホール・リンク・リソース以外のリソースのセットをスケジュールする請求項１１に記載の装置。
【請求項１３】
前記１または複数バックホール・リンク・リソースを決定するために、受信したリソース割当を分析する手段をさらに備える請求項１１に記載の装置。
【請求項１４】
前記受信したリソース割当を分析する手段はさらに、前記１または複数のモバイル・デバイスに関連付けられた前記１または複数のアクセス・ポイントから受信したモバイル・デバイス・リソース割当を評価し、関連付けられたモバイル・デバイス・リソースのセットを決定する請求項１３に記載の装置。
【請求項１５】
前記スケジュールする手段は、前記モバイル・デバイス・リソースのセット以外のリソースのセットをスケジュールする請求項１４に記載の装置。
【請求項１６】
前記リソースのセットを用いて、前記アクセス・リンクを介して、前記１または複数のモバイル・デバイスと通信する手段をさらに備える請求項１１に記載の装置。
【請求項１７】
コンピュータ読取可能媒体を備えるコンピュータ・プログラム製品であって、
前記コンピュータ読取可能媒体は、
少なくとも１つのコンピュータに対して、１または複数のアクセス・ポイントとのバックホール・リンクを維持させるためのコードと、
前記少なくとも１つのコンピュータに対して、前記バックホール・リンクを介して１または複数のアクセス・ポイントから情報が受信される１または複数のバックホール・リンク・リソースを決定させるためのコードと、
前記少なくとも１つのコンピュータに対して、前記１または複数のバックホール・リンク・リソースに基づいて、アクセス・リンクを介して１または複数のモバイル・デバイスと通信するための１または複数のアクセス・リンク・リソースを選択させるためのコードとを備えるコンピュータ・プログラム製品。
【請求項１８】
前記１または複数のアクセス・リンク・リソースは、前記１または複数のバックホール・リンク・リソースとは異なるように選択される請求項１７に記載のコンピュータ・プログラム製品。
【請求項１９】
前記コンピュータ読取可能媒体はさらに、前記少なくとも１つのコンピュータに対して、前記１または複数のモバイル・デバイスのうちの少なくとも１つに関連する前記１または複数のアクセス・ポイントからのリソース割当を復号させるためのコードを備える請求項１７に記載のコンピュータ・プログラム製品。
【請求項２０】
前記１または複数のアクセス・リンク・リソースはさらに、前記リソース割当に対応する１または複数のリソースを回避することに少なくとも部分的に基づいて選択される請求項１９に記載のコンピュータ・プログラム製品。
【請求項２１】
前記コンピュータ読取可能媒体はさらに、前記少なくとも１つのコンピュータに対して、前記１または複数のアクセス・リンク・リソースの間、前記アクセス・リンクを介して、前記１または複数のモバイル・デバイスと通信させるためのコードを備える請求項１７に記載のコンピュータ・プログラム製品。
【請求項２２】
装置であって、
１または複数のアクセス・ポイントとのバックホール・リンクを維持するバックホール・リンク構成要素と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットを割り当てるリンク・スケジューリング構成要素とを備える装置。
【請求項２３】
前記リンク・スケジューリング構成要素は、前記１または複数のバックホール・リンク・リソース以外のリソースによって前記リソースのセットを割り当てる請求項２２に記載の装置。
【請求項２４】
前記１または複数のバックホール・リンク・リソースを決定するために、受信したリソース割当を分析する割当評価構成要素をさらに備える請求項２２に記載の装置。
【請求項２５】
前記割当評価構成要素はさらに、前記１または複数のモバイル・デバイスに関連する１または複数のアクセス・ポイントから受信したモバイル・デバイス・リソース割当を分析し、関連付けられたモバイル・デバイス・リソースのセットを決定する請求項２４に記載の装置。
【請求項２６】
前記リンク・スケジューリング構成要素は、前記モバイル・デバイス・リソースのセット以外のリソースによって前記リソースのセットを割り当てる請求項２５に記載の装置。
【請求項２７】
前記リソースのセットを用いて、前記アクセス・リンクを介して前記１または複数のモバイル・デバイスと通信するアクセス・リンク構成要素をさらに備える請求項２４に記載の装置。
【請求項２８】
方法であって、
割当プロトコルにしたがって、バックホール・リンク割当を受信するための時間スロットを決定することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することとを備える方法。
【請求項２９】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項２８に記載の方法。
【請求項３０】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項２９に記載の方法。
【請求項３１】
前記アクセス・リンク・リソース割当を、制御チャネルを介して１または複数のデバイスへ送信することをさらに備える請求項３０に記載の方法。
【請求項３２】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項２８に記載の方法。
【請求項３３】
前記バックホール・リンク割当を受信することは、前記バックホール・リンク割当を、上部レイヤ・メッセージで受信することを含む請求項３２に記載の方法。
【請求項３４】
前記上部レイヤ・メッセージは、持続的な割当である請求項３３に記載の方法。
【請求項３５】
無線通信装置であって、
割当プロトコルにしたがって、バックホール・リンク割当を受信するための時間スロットを判別することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することとを行うように構成された少なくとも１つのプロセッサと、
前記少なくとも１つのプロセッサに接続されたメモリとを備える無線通信装置。
【請求項３６】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項３５に記載の無線通信装置。
【請求項３７】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項３６に記載の無線通信装置。
【請求項３８】
前記少なくとも１つのプロセッサはさらに、前記アクセス・リンク・リソース割当を、制御チャネルを介して１または複数のデバイスへ送信するように構成された請求項３７に記載の無線通信装置。
【請求項３９】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項３５に記載の無線通信装置。
【請求項４０】
前記バックホール・リンク割当を受信することは、前記バックホール・リンク割当を、上部レイヤ・メッセージで受信することを含む請求項３９に記載の無線通信装置。
【請求項４１】
前記上部レイヤ・メッセージは、持続的な割当である請求項４０に記載の無線通信装置。
【請求項４２】
装置であって、
割当プロトコルにしたがって、バックホール・リンク割当を受信するための時間スロットを決定する手段であって、ここで、前記割当プロトコルは、アクセス・リンク・リソース割当と、前記アクセス・リンク・リソース割当によるアクセス・リンク通信との間のアクセス・リンク・レイテンシを規定する、手段と、
前記時間スロット中に、１または複数のアクセス・ポイントから前記バックホール・リンク割当を受信する手段とを備える装置。
【請求項４３】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項４２に記載の装置。
【請求項４４】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項４３に記載の装置。
【請求項４５】
前記アクセス・リンク・リソース割当を、制御チャネルを介して１または複数のデバイスへ送信する手段をさらに備える請求項４４に記載の装置。
【請求項４６】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項４２に記載の装置。
【請求項４７】
前記バックホール・リンク割当を受信することは、前記バックホール・リンク割当を、上部レイヤ・メッセージで受信することを含む請求項４６に記載の装置。
【請求項４８】
前記上部レイヤ・メッセージは、持続的な割当である請求項４７に記載の装置。
【請求項４９】
コンピュータ読取可能媒体を備えるコンピュータ・プログラム製品であって、
前記コンピュータ読取可能媒体は、
少なくとも１つのコンピュータに対して、割当プロトコルにしたがって、バックホール・リンク割当を受信するための時間スロットを決定させるためのコードであって、ここで、前記割当プロトコルは、アクセス・リンク・リソース割当と、前記アクセス・リンク・リソース割当によるアクセス・リンク通信との間のアクセス・リンク・レイテンシを規定する、コードと、
前記少なくとも１つのコンピュータに対して、前記時間スロット中に、１または複数のアクセス・ポイントから前記バックホール・リンク割当を受信させるためのコードとを備えるコンピュータ・プログラム製品。
【請求項５０】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項４９に記載のコンピュータ・プログラム製品。
【請求項５１】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項５０に記載のコンピュータ・プログラム製品。
【請求項５２】
前記コンピュータ読取可能媒体はさらに、前記少なくとも１つのコンピュータに対して、前記アクセス・リンク・リソース割当を、制御チャネルを介して１または複数のデバイスへ送信させるためのコードを備える請求項５１に記載のコンピュータ・プログラム製品。
【請求項５３】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項４９に記載のコンピュータ・プログラム製品。
【請求項５４】
前記バックホール・リンク割当を受信することは、前記バックホール・リンク割当を、上部レイヤ・メッセージで受信することを含む請求項５３に記載のコンピュータ・プログラム製品。
【請求項５５】
前記上部レイヤ・メッセージは、持続的な割当である請求項５４に記載のコンピュータ・プログラム製品。
【請求項５６】
装置であって、
割当プロトコルにしたがって、バックホール・リンク割当を受信するための時間スロットを決定し、前記時間スロット中に、１または複数のアクセス・ポイントから前記バックホール・リンク割当を受信するバックホール・リンク構成要素であって、ここで、前記割当プロトコルは、アクセス・リンク・リソース割当と、前記アクセス・リンク・リソース割当によるアクセス・リンク通信との間のアクセス・リンク・レイテンシを規定する、バックホール・リンク構成要素と、
前記アクセス・リンク・レイテンシおよび前記バックホール・リンク割当にしたがって、前記アクセス・リンク・リソース割当を１または複数のモバイル・デバイスへ送信するアクセス・リンク構成要素とを備える装置。
【請求項５７】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記バックホール・リンク・レイテンシ未満である請求項５６に記載の装置。
【請求項５８】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項５７に記載の装置。
【請求項５９】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項５６に記載の装置。
【請求項６０】
前記バックホール・リンク割当を受信することは、前記バックホール・リンク割当を、上部レイヤ・メッセージで受信することを含む請求項５９に記載の装置。
【請求項６１】
前記上部レイヤ・メッセージは、持続的な割当である請求項６０に記載の装置。
【発明の詳細な説明】
【優先権主張】
【０００１】
本特許出願は、２００８年７月３日に出願され“ＯＰＰＯＲＴＵＮＩＳＴＩＣ  ＲＥＬＡＹ  ＣＯＭＭＵＮＩＣＡＴＩＯＮ  ＢＡＳＥＤ  ＯＮ  ＳＣＨＥＤＵＬＥＲ  ＡＳＳＩＧＮＭＥＮＴ  ＫＮＯＷＬＥＤＧＥ”と題され、本特許出願の譲受人に譲渡され、本明細書において参照によって明確に組み込まれている米国仮出願６１／０７８，２３９号の優先権を主張する。
【技術分野】
【０００２】
以下の記載は、一般に無線通信に関し、さらに詳しくは、リレー・ノード・リソース割当および通信に関する。
【背景技術】
【０００３】
無線通信システムは、例えば、音声、データなどのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のモバイル・デバイスのための通信を同時にサポートすることができる。各モバイル・デバイスはそれぞれダウンリンクおよびアップリンクにおける送信によって、１または複数のアクセス・ポイント（例えば、基地局）と通信することができる。ダウンリンク（すなわち、順方向リンク）は、アクセス・ポイントからモバイル・デバイスへの通信リンクを称し、アップリンク（すなわち、逆方向リンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システムなどによって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
ネットワーク容量の増加およびエネルギ効率の向上のために、無線通信システムにおいて、リレー・ノードが提供されうる。特に、リレー・ノードは、複数のタイプからなりえる。一例において、リレー・ノードは、モバイル・デバイスとアクセス・ポイントとの間の通信を自動的に促進しうる。例えば、リレー・ノードは、バックホール・リンクを介してアクセス・ポイントと、アクセス・リンクを介してモバイル・デバイスと、独立して通信をスケジュールしうる。リレー・ノードは、受信した通信を、その後、復号し、リンク間で転送しうる。
【０００６】
別の例において、リレー・ノードは、増幅と、送信における追加の冗長性等とを提供するために、アクセス・ポイントからモバイル・デバイスへの直接的な通信の先頭に、アクセス・リンク通信を重ねる。いずれの場合も、リレー・ノードは、所与の期間において、通信を受信または送信できるように、オープン・ハーフ・デュプレクスでありうる。この点に関し、リレー・ノードは一般に、静的に定義された通信仕様にしたがう。ここでは、時間スロットの集合が、バックホール・リンクによる受信のために使用され、時間スロットの別の集合が、アクセス・リンクによる送信のために使用される。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、さまざまな態様は、アクセス・ポイントおよび／または関連するモバイル・デバイスのスケジューリング割当を分析することに少なくとも部分的に基づいて、便宜的（opportunistic）なリレー・ノード通信を容易にすることに関連して記載される。例えば、リレー・ノードは、時間スロット、あるいは、バックホール・リンクがアクティブである他のリソースを予測し、バックホール・リンク通信と干渉しないように、モバイル・デバイスと通信するための別の時間スロット／リソースを割り当てる。別の例では、モバイル・デバイスおよびアクセス・ポイントが通信する場合を判定するために、リレー・ノードが、関連するアクセス・ポイントから、所与のモバイル・デバイスのためのスケジューリング割当を傍受しうる。スケジューリング割当に関連する時間スロットまたはその他のリソースもまた同様に回避されうる。したがって、アクセス・ポイントまたはモバイル・デバイスとの通信と干渉することなく、リレー・ノードにおいて、便宜的な通信が容易とされる。
【０００９】
関連する態様によれば、１または複数のアクセス・ポイントとのバックホール・リンクを維持することと、バックホール・リンクを介して１または複数のアクセス・ポイントから情報が受信される１または複数のバックホール・リンク・リソースを決定することと、を含む方法が提供される。さらに、この方法は、アクセス・リンクを介して１または複数のモバイル・デバイスと通信するために、決定されたバックホール・リンク・リソースに基づいて、１または複数のアクセス・リンク・リソースを選択することを含みうる。
【００１０】
別の態様は、無線通信装置に関する。この無線通信装置は、アクセス・ポイントとのバックホール・リンクを維持し、バックホール・リンクがアクティブである１または複数のバックホール・リンク・リソースを予測するように構成された少なくとも１つのプロセッサを含みうる。この少なくとも１つのプロセッサはさらに、アクセス・リンクを用いてモバイル・デバイスと通信するための１または複数のバックホール・リンク・リソースとは異なるリソースのセットを選択するように構成される。無線通信装置はまた、少なくとも１つのプロセッサに接続されたメモリをも備える。
【００１１】
また別の態様は、バックホール・リンクを介して１または複数のアクセス・ポイントと通信する手段を含む装置に関する。この装置はさらに、１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットをスケジュールする手段を含む。
【００１２】
また別の態様は、少なくとも１つのコンピュータに対して、１または複数のアクセス・ポイントとのバックホール・リンクを維持させるためのコードを含むコンピュータ読取可能媒体を有しうるコンピュータ・プログラム製品に関する。このコンピュータ読取可能媒体は、少なくとも１つのコンピュータに対して、バックホール・リンクを介して１または複数のアクセス・ポイントから情報が受信される１または複数のバックホール・リンク・リソースを決定させるためのコードをも備えうる。さらに、このコンピュータ読取可能媒体は、少なくとも１つのコンピュータに対して、１または複数のバックホール・リンク・リソースに基づいて、アクセス・リンクを介して１または複数のモバイル・デバイスと通信するための１または複数のアクセス・リンク・リソースを選択させるためのコードを備えうる。
【００１３】
さらに、さらなる態様は、装置に関する。この装置は、１または複数のアクセス・ポイントとのバックホール・リンクを維持するバックホール・リンク構成要素を含みうる。この装置はさらに、１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットを割り当てるリンク・スケジューリング構成要素を含む。
【００１４】
さらなる態様によれば、割当プロトコルにしたがって、バックホール・リンク割当を受信するための時間スロットを決定することを含む方法が提供される。ここで、割当プロトコルは、アクセス・リンク・リソース割当と、アクセス・リンク・リソース割当によるアクセス・リンク通信との間のアクセス・リンク・レイテンシを規定する。この方法はまた、時間スロット中に、１または複数のアクセス・ポイントからバックホール・リンク割当を受信することをも含む。
【００１５】
別の態様は、無線通信装置に関する。この無線通信装置は、割当プロトコルにしたがって、バックホール・リンク割当を受信するための時間スロットを判別するように構成された少なくとも１つのプロセッサを含みうる。ここで、割当プロトコルは、アクセス・リンク・リソース割当と、アクセス・リンク・リソース割当によるアクセス・リンク通信との間のアクセス・リンク・レイテンシを規定する。少なくとも１つのプロセッサはさらに、時間スロット中に、１または複数のアクセス・ポイントからバックホール・リンク割当を受信するように構成される。無線通信装置はまた、少なくとも１つのプロセッサに接続されたメモリをも備える。
【００１６】
別の態様は、割当プロトコルにしたがって、バックホール・リンク割当を受信するための時間スロットを決定する手段を含む装置に関する。ここで、割当プロトコルは、アクセス・リンク・リソース割当と、アクセス・リンク・リソース割当によるアクセス・リンク通信との間のアクセス・リンク・レイテンシを規定する。この装置はさらに、時間スロット中に、１または複数のアクセス・ポイントからバックホール・リンク割当を受信する手段を含む。
【００１７】
また別の態様は、少なくとも１つのコンピュータに対して、割当プロトコルにしたがって、バックホール・リンク割当を受信するための時間スロットを決定させるためのコードを含むコンピュータ読取可能媒体を有するコンピュータ・プログラム製品に関する。ここで、割当プロトコルは、アクセス・リンク・リソース割当と、アクセス・リンク・リソース割当によるアクセス・リンク通信との間のアクセス・リンク・レイテンシを規定する。さらに、このコンピュータ読取可能媒体は、少なくとも１つのコンピュータに対して、時間スロット中に、１または複数のアクセス・ポイントからバックホール・リンク割当を受信させるためのコードを備えうる。
【００１８】
さらに、さらなる態様は、装置に関する。この装置は、割当プロトコルにしたがって、バックホール・リンク割当を受信するための時間スロットを決定し、時間スロット中に、１または複数のアクセス・ポイントからバックホール・リンク割当を受信するバックホール・リンク構成要素を含みうる。ここで、割当プロトコルは、アクセス・リンク・リソース割当と、アクセス・リンク・リソース割当によるアクセス・リンク通信との間のアクセス・リンク・レイテンシを規定する。この装置はさらに、アクセス・リンク・レイテンシおよびバックホール・リンク割当にしたがって、アクセス・リンク・リソース割当を１または複数のモバイル・デバイスへ送信するアクセス・リンク構成要素を含む。
【００１９】
前述した目的および関連する目的を達成するために、１または複数の実施形態は、後に十分に記載され、特許請求の範囲において特に指摘されている特徴を備える。次の記載および添付図面は、１または複数の態様のある例時的な特徴を詳細に記載する。しかしながら、これらの特徴は、さまざまな態様の原理が適用される種々の方式のうちのわずかを示しているに過ぎず、本記載は、そのようなすべての態様およびそれらの均等物を含むことが意図されている。
【図面の簡単な説明】
【００２０】
【図１】図１は、本明細書に記載されたさまざまな態様にしたがう無線通信システムの実例である。
【図２】図２は、無線通信環境内で適用される通信装置の実例である。
【図３】図３は、アクセス・リンク通信時間スロットのスケジューリングを有効にする無線通信システムの実例である。
【図４】図４は、本明細書に記載された態様にしたがうリレー・ノード、アクセス・ポイント、およびモバイル・デバイス間の通信フレームの実例である。
【図５】図５は、バックホール・リンク・アクティビティに基づいてアクセス・リンク通信のためのリソースをスケジュールする方法の実例である。
【図６】図６は、モバイル・デバイスとアクセス・ポイントとの通信に基づいて、アクセス・リンク通信のための時間スロットをスケジュールする方法の実例である。
【図７】図７は、割当プロトコルにしたがってバックホール・リンク通信およびアクセス・リンク通信を確立する方法の実例である。
【図８】図８は、便宜的なリレー・ノード通信を提供するシステムの実例である。
【図９】図９は、本明細書に記載されたさまざまなシステムおよび方法と共に適用されうる無線ネットワーク環境の実例である。
【図１０】図１０は、バックホール・リンク割当あるいはその他の割当を考慮して便宜的にアクセス・リンク通信をスケジュールするシステムの実例である。
【図１１】図１１は、割当プロトコルにしたがってバックホール・リンク通信およびアクセス・リンク通信を確立するシステムの実例である。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２３】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００２４】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２５】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２６】
さまざまな態様または特徴が、多くのデバイス、構成要素、モジュールなどを含むシステムの観点から示されるだろう。さまざまなシステムが、追加のデバイス、構成要素、モジュールなどを含むことができるか、および／または、図面に関連して説明されたデバイス、構成要素、モジュールなどの必ずしも全てを含んでいる訳ではないことが理解され、認識されるべきである。これらアプローチの組み合わせもまた使用されうる。
【００２７】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２８】
基地局１０２は、モバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６はアンテナ１１２、１１４と通信する。ここで、アンテナ１１２、１１４は、ダウンリンク１１８によってモバイル・デバイス１１６へ情報を送信し、アップリンク１２０によってモバイル・デバイス１１６から情報を受信する。さらに、モバイル・デバイス１２２はアンテナ１０４、１０６と通信する。ここで、アンテナ１０４、１０６は、ダウンリンク１２４によってモバイル・デバイス１２２へ情報を送信し、アップリンク１２６によってモバイル・デバイス１２２から情報を受信する。周波数分割デュプレクス（ＦＤＤ）システムでは、例えば、ダウンリンク１１８が、アップリンク１２０によって使用されるものとは異なる周波数帯域を利用し、ダウンリンク１２４が、アップリンク１２６によって適用されるものとは異なる周波数帯域を適用しうる。さらに、時分割デュプレクス（ＴＤＤ）システムでは、ダウンリンク１１８とアップリンク１２０とが、共通の周波数帯域を利用し、ダウンリンク１２４とアップリンク１２６とが、共通の周波数帯域を利用しうる。
【００２９】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。ダウンリンク１１８、１２４による通信では、基地局１０２の送信アンテナは、モバイル・デバイス１１６、１２２のためのダウンリンク１１８、１２４の信号対雑音比を改善するためにビームフォーミングを利用しうる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、ピア・トゥ・ピアまたはアド・ホック技術（図示せず）を使用して、互いに直接的に通信しうる。
【００３０】
例によれば、システム１００は、複数入力複数出力（ＭＩＭＯ）通信システムでありうる。さらに、システム１００は、通信チャネル（例えば、ダウンリンク、アップリンク）を分割するために、例えばＦＤＤ、ＦＤＭ、ＴＤＤ、ＴＤＭ、ＣＤＭ等のような実質的に任意のタイプのデュプレクス技術を利用しうる。さらに、通信チャンネルは、複数のデバイスとのチャネルによる同時通信を可能にするために直交化され、この観点から、一例では、ＯＦＤＭが利用されうる。したがって、チャネルは、期間にわたって周波数の一部へと分割されうる。さらに、期間全体にわたる周波数の一部のおのおのとして、フレームが定義される。したがって、例えば、フレームは、多くのＯＦＤＭシンボルを備えうる。基地局１０２は、さまざまなタイプのデータのために生成されうるチャネルを介して、モバイル・デバイス１１６、１２２へ通信しうる。例えば、チャネルは、さまざまなタイプの一般的な通信データ、制御データ（例えば、他のチャネルのための品質情報、チャネルによって受信されたデータのアクノレッジメント・インジケータ、干渉情報、基準信号等）等を通信するために生成されうる。
【００３１】
さらに、基地局１０２からモバイル・デバイス１１６へ通信を転送することを容易にするリレー・ノード１２８が提供される。特に、リレー・ノード１２８は、モバイル・デバイス１１６、１２２と同様に、ダウンリンク１３０によって受信し、アップリンク１３２によって送信することによって、基地局とのバックホール・リンクを維持しうる。さらに、説明するように、リレー・ノードは、ダウンリンク１３６でデータを送信し、アップリンク１３８でデータを受信することによって、基地局１０２と通信するモバイル・デバイス１１６と同様に、アクセス・リンクを介してモバイル・デバイス１１６と通信しうる。したがって、例えば、リレー・ノード１２８は、モバイル・デバイス１１６からアップリンク１３８でデータを受信し、このデータを復号し、このデータを、アップリンク１３２で基地局へ再送信しうる。さらに、例えば、リレー・ノードは、ダウンリンク１３０で基地局からデータを受信し、このデータを復号し、このデータを、ダウンリンク１３６でモバイル・デバイス１１６へ再送信しうる。例えば、リレー・ノードは、そのような機能を、基地局１０２または他の基地局とさらに通信しうる複数の別のモバイル・デバイスへと提供しうることが認識されるべきである。これは、一例では、リレー・ノード１２８の近傍のデバイスに基づきうる。
【００３２】
例によれば、上述したように、リレー・ノード１２８は、モバイル・デバイス１１６および基地局１０２との通信をスケジュールしうる。しかしながら、リレー・ノード１２８は、同じ時間スロット（例えば、フレーム、サブ・フレーム、あるいは、それらの一部）または他のリソースで送信も受信も行わないように、オープン・ハーフ・デュプレクスでありうる。基地局１０２からリレー・ノード１２８への送信は、スケジューリングと割当との間で、リレー・ノード１２８からモバイル・デバイス１１６への送信とは異なるレイテンシを有しうる。これは、例えば、伝送を復号し、この伝送をモバイル・デバイス１１６へ再送信することによって引き起こされたリレー・ノード１２８における処理遅れに拠る。
【００３３】
この点に関し、リレー・ノード１２８は、基地局１０２と送受信していない場合に、モバイル・デバイス１１６との通信をスケジュールしうる。さらに、例えば、モバイル・デバイス１１６が、基地局１０２または他の基地局またはモバイル・デバイスと送受信していない場合に、リレー・ノード１２８は、モバイル・デバイス１１６との通信をスケジュールしうる。一例では、ダウンリンク１１８および／またはダウンリンク１３０によって送信された、モバイル・デバイス１１６のダウンリンク割当を受信することによって、モバイル・デバイス１１６は、基地局１０２と送受信する時間スロットまたは他のリソースを決定しうる。
【００３４】
図２に移って、無線通信環境内で適用される通信装置２００が例示される。この通信装置２００は、リレー・ノードまたはその一部であるか、あるいは、無線ネットワークにおいて情報の受信および転送を行う実質的に任意の通信装置でありうる。この通信装置２００は、例えばアクセス・ポイントのような無線ネットワークへアクセスを提供する構成要素との通信を確立するバックホール・リンク構成要素２０２と、無線ネットワーク内のデバイスへアクセスを提供し、このデバイスとの通信を容易にするアクセス・リンク構成要素２０４と、バックホール・リンク構成要素２０２を介して通信するために、割り当てられたリソースに少なくとも部分的に基づいて、アクセス・リンク構成要素２０４による通信のためのリソースを割り当てるリンク・スケジューリング構成要素２０６とを含む。
【００３５】
例によれば、バックホール・リンク構成要素２０２は、（図示しない）アクセス・ポイントとの通信を確立し、（例えば、バックホール・リンク割当のような）ダウンリンク・リソースおよびアップリンク・リソースを受信しうる。一例において、これは、通信装置２００と通信している（図示しない）モバイル・デバイスのためになされうる。さらに、バックホール・リンク割当は、一例において、持続的な割当であり、（例えば、媒体アクセス制御（ＭＡＣ）レイヤや、アプリケーション・レイヤ等におけるメッセージのような）上部レイヤ・メッセージで受信されうる。リンク・スケジューリング構成要素２０６は、バックホール・リンク構成要素２０２に関する情報に基づいて、および／または、それによって受信された情報に基づいて、ダウンリンク・リソースおよびアップリンク・リソースをモバイル・デバイスへ割り当てるための時間スロットまたはその他のリソース（例えば、周波数リソース）を決定しうる。アクセス・リンク構成要素２０４は、決定された時間スロットまたはその他のリソースにしたがって、リソースをモバイル・デバイスへ割り当てうる。一例において、バックホール・リンク構成要素２０２は、割当プロトコルにしたがって、バックホール・リンク割当を受信するための時間スロットを決定しうる。割当プロトコルは例えば、アクセス・リンク・レイテンシのみならず、（例えば、バックホール・リンク割当と通信との間のような）バックホール・リンク・レイテンシに関するパラメータを指定しうる。このレイテンシは、可変値または固定値でありうる。バックホール・リンク割当は、可変値である場合、例えば、１または複数の時間スロット、および、期間にわたる時間スロットの周期性に関する情報を含みうる。他の例によれば、アクセス・リンク・レイテンシは、アクセス・リンクの確立、および、バックホールを介して受信した情報の通信のための時間を可能にするバックホール・リンク・レイテンシ未満でありうる。
【００３６】
一例では、リンク・スケジューリング構成要素２０６は、バックホール・リンク構成要素２０２がアクセス・ポイントとの間でデータを送受信する時間スロットまたはその他のリソースを予測しうる。これは、割当プロトコル、バックホール・リンク構成要素２０２に関する１または複数の受信されたスケジューリング決定、バックホール・リンクのモニタリング等に基づきうる。さらに、リンク・スケジューリング構成要素２０６は、アクセス・リンク構成要素２０４による通信のための可能な時間スロット／リソースとして、スケジューリング決定と、バックホール・リンク構成要素２０２によって受信された伝送との間のレイテンシ差を決定しうる。さらに、リンクスケジューリング構成要素２０６は、アクセス・ポイントからモバイル・デバイスへ送られたリソース割当メッセージから時間スロット／リソース情報を受信することに基づいて、モバイル・デバイスがアクセス・ポイントと通信する時間スロットまたはその他のリソースを予測しうる。前述した情報を用いて、リンク・スケジューリング構成要素２０６は、モバイル・デバイスと通信するために、バックホール・リンク構成要素２０２によって使用されていないリソースを、あるいは、アクセス・ポイントとモバイル・デバイスとの間で通信中のリソースを選択しうる。さらに、バックホール・リンク割当はおのおの、バックホール・リンク時間スロットまたはその他のリソースにバックホール・リンク通信を割り当てる物理チャネルでありうることが認識されるべきである。同様に、アクセス・リンク割当はおのおの、アクセス・リンク時間スロットまたはその他のリソースにアクセス・リンク通信を割り当てる物理チャネルでありうる。
【００３７】
次に、図３に示すように、スケジューリング割当を決定することに少なくとも部分的に基づいて便宜的なリレー・ノード通信を容易にする無線通信システム３００が例示される。リレー・ノード３０２は、アクセス・ポイント３０４へのアクセスを、１または複数のモバイル・デバイス３０６へ提供する。そして、復号および転送を行うリレー・ノード３０２（例えば、タイプ１リレー・ノード）、冗長性、増幅等を加えるために、アクセス・ポイント３０４からモバイル・デバイス３０６へ、あるいはその逆への直接的な信号の上に信号を重ねるリレー・ノード（例えば、タイプ２リレー・ノード）等でありうる。さらに、アクセス・ポイント３０４は、基地局、フェムトセル・アクセス・ポイント、ピコセル・アクセス・ポイント、その他のリレー・ノード等でありうる。モバイル・デバイス３０６は、独立して電力が供給されるデバイスのみならず、モデム、あるいは、例えば、基地局および／またはその一部、あるいは、実質的に任意の無線デバイスのような連結されたデバイスでありうる。さらに、システム３００は、ＭＩＭＯシステムでありうるか、および／または、（例えば、ＥＶ−ＤＯ、３ＧＰＰ、３ＧＰＰ２、３ＧＰＰ  ＬＴＥ、ＷｉＭＡＸ等のような）１または複数の無線ネットワーク・システム仕様に準拠しており、さらには、リレー・ノード３０２、アクセス・ポイント３０４、モバイル・デバイス３０６、および／または、追加のリレー・ノード、アクセス・ポイント、またはモバイル・デバイス間の通信を容易にするためのさらなる構成要素を備えうる。
【００３８】
リレー・ノード３０２は、アクセス・ポイント３０４と通信するバックホール・リンク構成要素２０２と、モバイル・デバイス３０６と通信するアクセス・リンク構成要素２０４と、アップリンク・リソースまたはダウンリンク・リソースを割り当てるための時間スロットを決定するリンク・スケジューリング構成要素２０６と、リソース割当のための時間スロットを決定するために、アクセス・ポイント３０４からのスケジューリング割当を分析する割当評価構成要素３０８と、リソースを割り当てるための時間スロットを決定する際におけるリソース割当と送信との間の遅れを考慮するレイテンシ差分構成要素３１０とを含みうる。さらに、アクセス・ポイント３０４は、リレー・ノード３０２および／またはモバイル・デバイス３０６へダウンリンク・リソースおよびアップリンク・リソースを割り当てるリソース割当構成要素３１２を備えうる。
【００３９】
例によれば、バックホール・リンク構成要素２０２は、（例えば、モバイル・デバイス３０６からアクセス要求を受信することに応答して、）アクセス・ポイント３０４から無線ネットワーク・アクセスを要求しうる。別の例において、アクセス・ポイント３０４は、リレー・ノード３０２との通信を開始しうる。いずれの場合も、リソース割当構成要素３１２は、説明するように、リレー・ノード３０２との通信を容易にするために、リレー・ノード３０２へアップリンク・リソースおよびダウンリンク・リソースを割り当てうる。さらに、モバイル・デバイス３０６が、アクセス・ポイント３０４と直接的に通信する場合、リソース割当構成要素３１２は、モバイル・デバイス３０６へアップリンク・リソースおよびダウンリンク・リソースを割り当てうる。一例において、モバイル・デバイス３０６は、さらに、あるいは、その代わりに、リレー・ノード３０２との通信を開始し、アクセス・リンク構成要素２０４は、モバイル・デバイス３０６から、対応する要求を受信しうる。したがって、バックホール・リンク構成要素２０２は、アクセス・ポイント３０４と通信し、アクセス・リンク構成要素２０４は、モバイル・デバイス３０６と通信し、リレー機能を提供する。
【００４０】
説明するように、リレー・ノード３０２は、所与の時間スロットにおいて受信または送信できるように、オープン・ハーフ・デュプレクスでありうる。したがって、バックホール・リンク構成要素２０２あるいはアクセス・リンク構成要素２０４のみが、所与の時間スロットにおいて、アクティブになりえる。さらに、説明するように、バックホール・リンク構成要素２０２は、アクセス・ポイント３０４から情報を受信し、この情報を復号し、この情報を、アクセス・リンク構成要素２０４を用いてモバイル・デバイス３０６へ再送信しうる。別の例では、説明するように、バックホール・リンク構成要素２０２が、アクセス・ポイント３０４から信号を受信し、アクセス・リンク構成要素２０４が、この信号に増幅、冗長性等を加え（例えば、信号の先頭への重ね合わせを行い）、この信号をモバイル・デバイス３０６へ転送しうる。リレー・ノード３０２は、アップリンクでも同様に、受信、復号、および転送（または、受信、増幅、および転送）を行う。
【００４１】
リレー・ノード３０２は、アクセス・ポイント３０４との間で情報を送受信する際に、現在使用されている時間スロット、あるいは、バックホール・リンク構成要素２０２によって今後使用されるべきである時間スロットを予測することによって、アクセス・リンク構成要素２０４によってモバイル・デバイス３０６と通信する時間スロットを決定しうる。リンク・スケジューリング構成要素２０６は、モバイル・デバイス３０６へ通信リソースを割り当てる際に、これらの時間スロットを回避し、別の時間スロットを選択しうる。一例では、バックホール・リンク構成要素２０２によってその後利用される時間スロットを決定するために、割当評価構成要素３０８が、バックホール・リンク構成要素リソース割当構成要素３１２からリレー・ノード３０２へのリソース割当を分析するか、あるいは、バックホール・リンク構成要素２０２アクティビティを観察しうる。例えば、割当評価構成要素３０８は、バックホール・リンク構成要素２０２を用いて、アクセス・ポイント３０４とデータを送受信するために、リレー・ノード３０２へ割り当てられた時間スロットを判別する。そして、リンク・スケジューリング構成要素２０６は、モバイル・デバイス３０６と通信するために、リソースまたは時間スロットを選択する際に、これら時間スロットを回避しうる。リレー・ノード３０２はまた、回避される時間スロットがさらにリンク・スケジューリング構成要素２０６によって決定されうる別のアクセス・ポイントとも通信しうることが認識されるべきである。
【００４２】
さらに、モバイル・デバイス３０６は、アクセス・ポイント３０４とリレー・ノード３０２との両方と通信し、リレー・ノード３０２は、前述したように、（例えば、タイプ１のような）復号および転送タイプでありうる。この例において、割当評価構成要素３０８はさらに、モバイル・デバイスがアクセス・ポイント３０４と通信している場合にも、時間スロットを回避しうる。したがって、例えば、リレー・ノードは、モバイル・デバイス３０６がアクセス・ポイント３０４から通信を受信する場合に、時間スロットを決定するために、リソース割当構成要素３１２からモバイル・デバイス３０６へのダウンリンク・リソース割当を分析しうる。例えば、リレー・ノード３０２は、アクセス・ポイント３０４からモバイル・デバイス３０６への直接的な伝送を傍受することによって、この割当を受信しうる。割当評価構成要素３０８は、モバイル・デバイス３０６がアクセス・ポイント３０４と送受信するリソースまたは関連する時間スロットを決定するために、このリソース割当を復号し解釈しうる。リンク・スケジューリング構成要素２０６は、モバイル・デバイス３０６と通信するためのリソースを選択する際に、これらの時間スロットも同様にスケジュールしうる。
【００４３】
さらに、レイテンシ差分構成要素３１０は、リレー・ノードにおける処理によって引き起こされた、リレー・ノード３０２とアクセス・ポイント３０４との間のレイテンシ差分を計算しうる。アクセス・ポイント３０４からの送信を受信した後に、レイテンシ差分期間内で生じたリソースもまた、モバイル・デバイス３０６との通信のために、リンク・スケジューリング構成要素２０６によってスケジュールされうる。なぜなら、アクセス・ポイント３０４は、レイテンシ期間中、リレー・ノード３０２に再度送信することはなく、少なくとも、モバイル・デバイス３０６に関連する通信はしないだろうからである。リレー・ノード３０２は、（図示しない）複数のモバイル・デバイスにサービス提供し、リンク・スケジューリング構成要素２０６によって予測されるように、バックホール・リンク構成要素２０２がアクティブではない（例えば、アクセス・ポイント３０４と送受信していない）時間スロットの間、説明するように、アクセス・リンク構成要素２０４によって互いの送信をスケジュールしうることが認識されるべきである。
【００４４】
リンク・スケジューリング構成要素２０６が、モバイル・デバイス３０６と通信するために、バックホール・リンク構成要素２０２における通信（または、復号および転送タイプのリレー・ノードのための、アクセス・ポイント３０４からモバイル・デバイス３０６への直接的な通信）と干渉しないリソースを選択すると、アクセス・リンク構成要素２０４は、関連するリソース割当を、モバイル・デバイス３０６へ送信しうる。モバイル・デバイス３０６は、その後、割り当てられたリソースを用いて、アクセス・リンク構成要素２０４によって情報を受信および／または送信しうる。さらに、図示していないが、リレー・ノード３０２は、複数のアクセス・ポイントと通信しうる。この場合、バックホール・リンク構成要素２０２も同様に、リレー・ノード３０２がモバイル・デバイスまたはその他のアクセス・ポイントと通信していないとリンク・スケジューリング構成要素２０６が判定する時間スロットに基づいて、複数のアクセス・ポイントとリソースをネゴシエートしうる。別の例では、リンク・スケジューリング構成要素２０６が、サポートされているアクセス・ポイントを追加することに基づいて、モバイル・デバイス３０６の通信リソースを修正しうる。
【００４５】
図４を参照して、多くの時間スロットを備える通信フレーム４００が例示される。この通信フレームは、リレー・ノード、アクセス・ポイント、および／または、ＵＥが通信する多くのスロットまたはサブ・フレーム（または、サブフレームの一部）を備えうる。さらに、スロットは、例えば、期間にわたる（図示しない）ＯＦＤＭシンボルの集合を備えうる。説明するように、例において、スロット１  ４０２では、アクセス・ポイント（ＡＰ）は、バックホール・リンク（ＢＬ）によって、リレー・ノードへ情報を送信しうる。この情報は、ＵＥへの送信のために、スロット５  ４０８において、ＡＰがリレー・ノードへ情報を送信するためのダウンリンク・リソース割当に対応しうる。この割当に基づいて、スロット５  ４０８は、ＢＬによるＡＰへの送信のために割り当てられているので、リレー・ノードは、スロット５  ４０８が、ＵＥとの通信には用いられるべきではないと判定しうる。スロット２  ４０４では、ＡＰが、ＵＥによって受信された情報を送信しうる。これは、ＵＥがスロット７  ４１２でＡＰへ情報を送信するためのアップリンク・リソース割当でありうる。同様に、リレー・ノードは、この割当を受信して復号し、ＵＥ通信をスケジュールする際にスロット７  ４１２を回避する。なぜなら、ＵＥは、そのスロットの間、ＡＰへの送信のために使用されるからである。
【００４６】
スロット３  ４０６では、説明するように、リレー・ノードのアクセス・リンク（ＡＬ）が、ＵＥへダウンリンク割当を送信しうる。なぜなら、リレー・ノードは、スロット５、７以外のスロットが、ＢＬによって使用されていないことを知っているからである。さらに、この情報に基づき、この割当は、スロット６  ４１０についてもなされうる。スロット５  ４０８では、説明するように、アクセス・ポイントは、スロット１  ４０２における割当にしたがって、ＢＬによって受信された情報を送信しうる。スロット３  ４０６およびスロット７  ４１２における割当にしたがって、ＡＬは、この情報を復号し、ＵＥへ再送信する。ＵＥは、スロット２  ４０４における割当にしたがってＡＰへ情報を送信する。したがって、リレー・ノードは、説明するように、アクセス・ポイントとのＢＬアクティビィティ、および／または、ＵＥとのアクセス・ポイント・アクティビティに基づいて、ＵＥとの通信を便宜的にスケジュールしうる。
【００４７】
図５乃至図７を参照して、オープン・ハーフ・デュプレクスのリレー・ノードにおいて、モバイル・デバイスへ情報を再送信するための時間スロットを選択することに関連する方法が例示される。説明の簡略化の目的のために、これら方法が一連の動作として図示および説明されているが、これら方法は、１または複数の対応によれば、いくつかの動作が、本明細書で図示および説明されたものとは異なる順序および／または同時に生じうるので、これら動作順序に限定されないことが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００４８】
図５に移って、選択されたリソースによってモバイル・デバイスへ情報を転送することを容易にする方法５００の例が例示される。５０２では、アクセス・ポイントにおいてバックホール・リンクが確立されうる。説明するように、バックホール・リンクは、通信を行うために、アクセス・ポイントからのダウンリンク割当およびアップリンク割当を備えうる。５０４では、バックホール・リンクがアクティブであるリソースが判定される。これは、説明するように、アクセス・ポイントからのアップリンク割当および／またはダウンリンク割当を分析すること、バックホール・リンクの挙動を観察すること、等に少なくとも部分的に基づいて判別されうる。５０６では、判定されたリソースに基づいて、アクセス・リンクを介してモバイル・デバイスと通信するためのリソースが選択されうる。したがって、説明するように、異なるリソースが選択されうるので、例えば、バックホール・リンクが使用されない場合、アクセス・リンクが、便宜的に利用されうる。さらに、説明するように、リソースは、時間スロット、周波数トーン等に関連しうる。
【００４９】
図６を参照して、モバイル・デバイス通信へのバックホール・リンクまたはアクセス・ポイントと干渉しないように、選択された時間スロットを用いて、アクセス・リンクを介した通信を容易にする方法６００が図示される。６０２では、アクセス・ポイントとのバックホール・リンクが確立されうる。説明するように、バックホール・リンクは、通信のために、アクセス・ポイントからのアップリンク割当およびダウンリンク割当を備えうる。６０４では、バックホール・リンクがアクティブである時間スロットが判定される。これは、説明するように、アクセス・ポイントからのリソース割当を分析すること、バックホール・リンクの挙動を観察すること等に少なくとも部分的に基づいて判定されうる。
【００５０】
さらに、６０６では、モバイル・デバイスに関連するリソース割当が、アクセス・ポイントから受信されうる。このリソース割当は、例えば、アクセス・ポイントによってモバイル・デバイスへ許可されたアップリンク・リソースおよび／またはダウンリンク・リソースに関連しうる。これは、モバイル・デバイスが、アクセス・ポイントと送受信中であることを示す。６０８では、リソース割当に関連する時間スロットが判定されうる。６１０において、アクセス・リンクによってモバイル・デバイスと通信するために、判定された時間スロットに基づいて、時間スロットが選択されうる。したがって、説明するように、モバイル・デバイスが、アクセス・ポイントと直接的に通信する時間スロットのみならず、モバイル・デバイスとの通信をスケジュールする際に、バックホール・リンクに関連付けられた時間スロットが回避されうる。
【００５１】
図７を参照して、割当プロトコルにしたがってバックホール・リンクおよびアクセス・リンクを確立することを容易にする方法７００の例が図示される。７０２では、バックホール・リンク割当を受信するための時間スロットが、割当プロトコルにしたがって決定されうる。一例では、割当プロトコルは、アクセス・リンク・リソース割当と、アクセス・リンク・リソース割当によるアクセス・リンク通信との間のアクセス・リンク・レイテンシを規定しうる。バックホール・リンク割当時間スロットは、この情報から決定されうる。なぜなら、バックホール・リンク割当時間スロットは、アクセス・リンク・リソース割当前に生じるからである。さらに、割当プロトコルは、バックホール・リンク割当と、この割当によるバックホール・リンク通信との間のバックホール・リンク・レイテンシを規定しうる。これらレイテンシは、例えば、固定値または可変値でありうる。７０４では、バックホール・リンク割当が、時間スロット中、１または複数のアクセス・ポイントから受信されうる。７０６では、アクセス・リンク割当が、割当プロトコルにしたがって、１または複数のモバイル・デバイスへ送信されうる。説明するように、これは、このプロトコルによって規定されたアクセス・リンク・レイテンシに準拠しうる。
【００５２】
本明細書に記載されているような１または複数の態様にしたがうと、バックホール・リンク挙動の分析、リソース割当の評価、モバイル・デバイス通信のためにバックホール・リンクまたはアクセス・ポイントによって利用されない時間スロットの判定等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５３】
図８は、バックホール・リンクによるアクティビティに基づいて、アクセス・リンク通信時間スロットをスケジュールすることを容易にするシステム８００の例示である。このシステム８００は、複数の受信アンテナ８０８を介して、１または複数のモバイル・デバイス８０４またはアクセス・ポイント８０６から信号を受信する受信機８１２と、送信アンテナ８１０を介して、１または複数のモバイル・デバイス８０４またはアクセス・ポイント８０６へ信号を送信する送信機８２８と、を備えるリレー・ノード８０２（例えば、アクセス・ポイント）を備える。さらに、復調器８１４は、受信信号を復調しうる。復調されたシンボルは、プロセッサ８１６によって分析されうる。プロセッサ８１６は、受信機８１２によって受信された情報の分析、および／または、送信機８２８による送信のための情報の生成に特化されたプロセッサ、リレー・ノード８０２の１または複数の構成要素を制御するプロセッサ、および／または、受信機８１２によって受信された情報の全体的な分析、送信機８２８による送信のための情報の生成、リレー・ノード８０２の１または複数の構成要素の制御を行うプロセッサでありうる。
【００５４】
リレー・ノードはさらに、プロセッサ８１６に動作可能に接続されたメモリ８１８を含みうる。このメモリ８１８は、送信されるべきデータ、受信されたデータ、利用可能なチャネルに関連する情報、分析された信号および／または干渉強度に関連付けられたデータ、割り当てられたチャネルや、電力や、レート等に関連する情報、および、チャネルの推定およびチャネルを介した通信のために適切なその他任意の情報を格納しうる。メモリ８１８はさらに、（例えば、パフォーマンス・ベース、キャパシティ・ベース等での）チャネルの推定および／または利用に関連付けられたアルゴリズムおよび／またはプロトコルを格納しうる。
【００５５】
本明細書に記載されたデータ・ストア（例えば、メモリ８１８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８１８は、限定される訳ではないが、これらおよびその他任意の適切なタイプのメモリを備えることが意図される。
【００５６】
説明するように、プロセッサ８１６はさらに、１または複数のアクセス・ポイント８０６とのバックホール・リンクを確立し、維持するバックホール・リンク構成要素８２０と、１または複数のモバイル・デバイス８０４とアクセス・リンクによって通信するアクセス・リンク構成要素８３２と、バックホール・リンク８２０によって利用される時間スロットと干渉しない通信リソースをアクセス・リンクへ割り当て、および／または、アクセス・ポイント８０６とモバイル・デバイス８０４との間の通信を指示するリンク・スケジューリング構成要素８２４とに接続されている。例えば、リンク・スケジューリング構成要素８２４は、アクセス・ポイント８０６によって受信された割当に基づいて、バックホール・リンク構成要素８２０によって利用される時間スロットを決定し、バックホール・リンク構成要素８２０通信等を観察する。
【００５７】
さらに、例えば、リンク・スケジューリング構成要素８２４は、１または複数のモバイル・デバイス８０４のリソース割当を受信することに基づいて、アクセス・ポイント８０６と通信中の１または複数のモバイル・デバイス８０４によって使用される時間スロットを決定しうる。リンク・スケジューリング構成要素８２４は、説明するように、アクセス・リンク構成要素８２２による通信のためにモバイル・デバイス８０４へリソースを割り当てる際に、これら時間スロットを回避しうる。さらに、プロセッサ８１６と別に示されているが、復調器８１４、バックホール・リンク構成要素８２０、アクセス・リンク構成要素８２２、リンク・スケジューリング構成要素８２４、および／または、変調器８２６は、プロセッサ８１６または複数のプロセッサ（図示せず）の一部でありうることが認識されるべきである。
【００５８】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。さらに、基地局９１０および／またはモバイル・デバイス９５０は、その間の無線通信を容易にするために、本明細書で説明したシステム（図１乃至図３、および図８）、通信フレームの例（図４）、および／または方法（図５乃至図７）を適用しうることが認識されるべきである。
【００５９】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６１】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな態様では、ＴＸ  ＭＩＭＯプロセッサ９２０は、データ・ストリームのシンボル、およびシンボルが送信されるアンテナに、ビームフォーミング重みを適用する。
【００６２】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６３】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６４】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６５】
プロセッサ９７０は、上述したように、どの事前符合化行列を使用するのかを定期的に決定する。さらに、プロセッサ９７０は、行列インデックス部およびランク値部を備えるアップリンク・メッセージを定式化しうる。
【００６６】
アップリンク・メッセージは、通信リンクおよび／または受信したデータ・ストリームに関するさまざまなタイプの情報を備えうる。アップリンク・メッセージは、データ・ソース９３６から多くのデータ・ストリームのトラフィック・データをも受け取るＴＸデータ・プロセッサ９３８によって処理され、変調器９８０によって変調され、送信機９５４ａ乃至９５４ｒによって調整され、基地局９１０へ送り戻される。
【００６７】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信されたアップリンク・メッセージが抽出される。さらに、プロセッサ９３０は、ビームフォーミング重みを決定するためにどの事前符合化行列を使用するかを決定するために、この抽出されたメッセージを処理する。
【００６８】
プロセッサ９３０およびプロセッサ９７０は、基地局９１０およびモバイル・デバイス９５０それぞれにおける動作を指示（例えば、制御、調整、管理など）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６９】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７０】
これら態様が、ソフトウェア、ファームウェア、ミドルウェアまたはマイクロコード、プログラム・コードまたはコード・セグメントにおいて実現される場合、それらは、たとえばストレージ構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７１】
ソフトウェアで実現する場合、本明細書に記載のこれら技術は、本明細書に記載の機能を実行するモジュール（例えば、手続き、機能など）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７２】
図１０を参照して、時間スロットと衝突しない、あるいは、モバイル・デバイスをアクセス・ポイント通信に向けない、アクセス・リンク通信のための時間スロットをスケジュールすることを容易にするシステム１０００が例示される。例えば、システム１０００は、基地局、モバイル・デバイスなどの中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、バックホール・リンクを介して１または複数のアクセス・ポイントと通信するための電子構成要素１００４を含みうる。これは、例えば、１または複数のモバイル・デバイスへのその後の転送のために、通信を受信および復号することを含みうる。さらに、論理グループ１００２は、１または複数のバックホール・リンク時間スロットにおけるバックホール・リンク・アクティビティを決定することに少なくとも部分的に基づいて、アクセス・リンクを介して１または複数のモバイル・デバイスと通信するための時間スロットをスケジュールするための電子構成要素１００６を含みうる。
【００７３】
したがって、説明するように、バックホール・リンク・アクティビティは、バックホール・リンクを確立するためリソース割当を分析すること、バックホール・リンク・アクティビティをモニタリングすること等に基づいて決定されうる。さらに、説明するように、バックホール・リンク時間スロットを回避するように時間スロットがスケジュールされうる。さらに、論理グループ１００２は、１または複数のバックホール・リンク時間スロットを決定するために、受信されたリソース割当を分析するための電子構成要素１００８を含みうる。この電子構成要素１００８はまた、モバイル・デバイスにおける通信に関連する時間スロットを決定するために、モバイル・デバイスに関連する受信したリソース割当を分析しうる。したがって、説明するように、これらの時間スロットもまた回避されうる。さらに、論理グループ１００２は、選択された時間スロットを用いて、モバイル・デバイスとの、アクセス・リンクを介した通信のための電子構成要素１０１０を含みうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００７４】
図１１を参照して、割当プロトコルにしたがってバックホール・リンクおよびアクセス・リンクを確立することを容易にするシステム１１００が例示される。例えば、システム１１００は、基地局、モバイル・デバイス等の中に少なくとも部分的に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、割当プロコトルにしたがってバックホール・リンク割当を受信する時間スロットを決定するための電子構成要素１１０４を含みうる。説明するように、割当プロコトルは、アクセス・リンク・リソース割当と、アクセス・リンク・リソース割当によるアクセス・リンク通信との間のアクセス・リンク・レイテンシを規定しうる。バックホール・リンク割当時間スロットは、この情報から決定される。なぜなら、アクセス・リンク・リソース割当前に生じるからである。さらに、割当プロトコルは、バックホール・リンク割当と、バックホール・リンク割当によるバックホール・リンク通信との間のバックホール・リンク・レイテンシを規定しうる。レイテンシは、一例として、固定値または可変値でありうる。
【００７５】
さらに、論理グループ１１０２は、時間スロット中に、１または複数のアクセス・ポイントからバックホール・リンク割当を受信するための電子構成要素１１０６を含みうる。例えば、アクセス・リンク割当は、これに応答して生成されうる。この目的のために、論理グループ１１０２は、制御チャネルを介して１または複数のデバイスへアクセス・リンク割当を送信するための電子構成要素１１０８を含みうる。これは、割当プロトコルにも従いうる。さらに、システム１１００は、電子構成要素１１０４、１１０６、１１０８に関連付けられた機能を実行するための命令群を保持するメモリ１１１０を含みうる。メモリ１１１０の外側にあると示されているが、電子構成要素１１０４、１１０６、１１０８のうちの１または複数は、メモリ１１１０内に存在しうることが理解されるべきである。
【００７６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００７７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００７８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００７９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014096825.tif 000003
【図２】
2014096825.tif 000004
【図３】
2014096825.tif 000005
【図４】
2014096825.tif 000006
【図５】
2014096825.tif 000007
【図６】
2014096825.tif 000008
【図７】
2014096825.tif 000009
【図８】
2014096825.tif 000010
【図９】
2014096825.tif 000011
【図１０】
2014096825.tif 000012
【図１１】
2014096825.tif 000013
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
無線通信装置であって、
アクセス・ポイントとのバックホール・リンクを維持し、前記バックホール・リンクがアクティブである１または複数のバックホール・リンク・リソースを予測し、アクセス・リンクを用いてモバイル・デバイスと通信するための、前記１または複数のバックホール・リンク・リソースとは異なるリソースのセットを選択するように構成された少なくとも１つのプロセッサと、
前記少なくとも１つのプロセッサに接続されたメモリと
を備える無線通信装置。
【請求項２】
前記少なくとも１つのプロセッサはさらに、前記モバイル・デバイスに関連する前記アクセス・ポイントからリソース割当を受信し、前記リソース割当に関連する、割り当てられたリソースを決定するように構成され、
前記少なくとも１つのプロセッサは、前記リソース割当に関連する、前記割り当てられたリソースとさらに異なるリソースのセットを選択する請求項１に記載の無線通信装置。
【請求項３】
前記１または複数のバックホール・リンク・リソースを予測することは、前記アクセス・ポイントから受信されたリソース割当を分析することを含む請求項１に記載の無線通信装置。
【請求項４】
前記少なくとも１つのプロセッサはさらに、前記アクセス・リンクを介して前記モバイル・デバイスと通信するように構成された請求項１に記載の無線通信装置。
【請求項５】
装置であって、
バックホール・リンクを介して１または複数のアクセス・ポイントと通信する手段と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットをスケジュールする手段と
を備える装置。
【請求項６】
前記スケジュールする手段は、前記１または複数のバックホール・リンク・リソース以外のリソースのセットをスケジュールする請求項５に記載の装置。
【請求項７】
前記１または複数のバックホール・リンク・リソースを決定するために、受信したリソース割当を分析する手段をさらに備える請求項５に記載の装置。
【請求項８】
前記受信したリソース割当を分析する手段はさらに、前記１または複数のモバイル・デバイスに関連付けられた前記１または複数のアクセス・ポイントから受信したモバイル・デバイス・リソース割当を評価し、関連付けられたモバイル・デバイス・リソースのセットを決定する請求項７に記載の装置。
【請求項９】
前記スケジュールする手段は、前記モバイル・デバイス・リソースのセット以外のリソースのセットをスケジュールする請求項８に記載の装置。
【請求項１０】
前記リソースのセットを用いて、前記アクセス・リンクを介して、前記１または複数のモバイル・デバイスと通信する手段をさらに備える請求項５に記載の装置。
【請求項１１】
装置であって、
１または複数のアクセス・ポイントとのバックホール・リンクを維持するバックホール・リンク構成要素と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットを割り当てるリンク・スケジューリング構成要素と
を備える装置。
【請求項１２】
前記リンク・スケジューリング構成要素は、前記１または複数のバックホール・リンク・リソース以外のリソースによって前記リソースのセットを割り当てる請求項１１に記載の装置。
【請求項１３】
前記１または複数のバックホール・リンク・リソースを決定するために、受信したリソース割当を分析する割当評価構成要素をさらに備える請求項１１に記載の装置。
【請求項１４】
前記割当評価構成要素はさらに、前記１または複数のモバイル・デバイスに関連する１または複数のアクセス・ポイントから受信したモバイル・デバイス・リソース割当を分析し、関連付けられたモバイル・デバイス・リソースのセットを決定する請求項１３に記載の装置。
【請求項１５】
前記リンク・スケジューリング構成要素は、前記モバイル・デバイス・リソースのセット以外のリソースによって前記リソースのセットを割り当てる請求項１４に記載の装置。
【請求項１６】
前記リソースのセットを用いて、前記アクセス・リンクを介して前記１または複数のモバイル・デバイスと通信するアクセス・リンク構成要素をさらに備える請求項１１に記載の装置。
【請求項１７】
方法であって、
割当プロトコルにしたがって、バックホール・リンク割当を受信するための時間スロットを決定することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を備える方法。
【請求項１８】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項１７に記載の方法。
【請求項１９】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項１８に記載の方法。
【請求項２０】
前記アクセス・リンク・リソース割当を、制御チャネルを介して１または複数のデバイスへ送信することをさらに備える請求項１９に記載の方法。
【請求項２１】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項１７に記載の方法。
【請求項２２】
前記バックホール・リンク割当を受信することは、前記バックホール・リンク割当を、上部レイヤ・メッセージで受信することを含む請求項２１に記載の方法。
【請求項２３】
前記上部レイヤ・メッセージは、持続的な割当である請求項２２に記載の方法。
【請求項２４】
無線通信装置であって、
割当プロトコルにしたがって、バックホール・リンク割当を受信するための時間スロットを判別することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を行うように構成された少なくとも１つのプロセッサと、
前記少なくとも１つのプロセッサに接続されたメモリと
を備える無線通信装置。
【請求項２５】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項２４に記載の無線通信装置。
【請求項２６】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項２５に記載の無線通信装置。
【請求項２７】
前記少なくとも１つのプロセッサはさらに、前記アクセス・リンク・リソース割当を、制御チャネルを介して１または複数のデバイスへ送信するように構成された請求項２６に記載の無線通信装置。
【請求項２８】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項２４に記載の無線通信装置。
【請求項２９】
前記バックホール・リンク割当を受信することは、前記バックホール・リンク割当を、上部レイヤ・メッセージで受信することを含む請求項２８に記載の無線通信装置。
【請求項３０】
前記上部レイヤ・メッセージは、持続的な割当である請求項２９に記載の無線通信装置。
【請求項３１】
装置であって、
割当プロトコルにしたがって、バックホール・リンク割当を受信するための時間スロットを決定する手段であって、ここで、前記割当プロトコルは、アクセス・リンク・リソース割当と、前記アクセス・リンク・リソース割当によるアクセス・リンク通信との間のアクセス・リンク・レイテンシを規定する、手段と、
前記時間スロット中に、１または複数のアクセス・ポイントから前記バックホール・リンク割当を受信する手段と
を備える装置。
【請求項３２】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項３１に記載の装置。
【請求項３３】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項３２に記載の装置。
【請求項３４】
前記アクセス・リンク・リソース割当を、制御チャネルを介して１または複数のデバイスへ送信する手段をさらに備える請求項３３に記載の装置。
【請求項３５】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項３１に記載の装置。
【請求項３６】
前記バックホール・リンク割当を受信することは、前記バックホール・リンク割当を、上部レイヤ・メッセージで受信することを含む請求項３５に記載の装置。
【請求項３７】
前記上部レイヤ・メッセージは、持続的な割当である請求項３６に記載の装置。
【請求項３８】
コンピュータ読取可能な記録媒体であって、
少なくとも１つのコンピュータに対して、割当プロトコルにしたがって、バックホール・リンク割当を受信するための時間スロットを決定させるためのコードであって、ここで、前記割当プロトコルは、アクセス・リンク・リソース割当と、前記アクセス・リンク・リソース割当によるアクセス・リンク通信との間のアクセス・リンク・レイテンシを規定する、コードと、
前記少なくとも１つのコンピュータに対して、前記時間スロット中に、１または複数のアクセス・ポイントから前記バックホール・リンク割当を受信させるためのコードとを記録したコンピュータ読取可能な記録媒体。
【請求項３９】
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満である請求項３８に記載のコンピュータ読取可能な記録媒体。
【請求項４０】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項３９に記載のコンピュータ読取可能な記録媒体。
【請求項４１】
前記少なくとも１つのコンピュータに対して、前記アクセス・リンク・リソース割当を、制御チャネルを介して１または複数のデバイスへ送信させるためのコードをさらに記録した請求項４０に記載のコンピュータ読取可能な記録媒体。
【請求項４２】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項３８に記載のコンピュータ読取可能な記録媒体。
【請求項４３】
前記バックホール・リンク割当を受信することは、前記バックホール・リンク割当を、上部レイヤ・メッセージで受信することを含む請求項４２に記載のコンピュータ読取可能な記録媒体。
【請求項４４】
前記上部レイヤ・メッセージは、持続的な割当である請求項４３に記載のコンピュータ読取可能な記録媒体。
【請求項４５】
装置であって、
割当プロトコルにしたがって、バックホール・リンク割当を受信するための時間スロットを決定し、前記時間スロット中に、１または複数のアクセス・ポイントから前記バックホール・リンク割当を受信するバックホール・リンク構成要素であって、ここで、前記割当プロトコルは、アクセス・リンク・リソース割当と、前記アクセス・リンク・リソース割当によるアクセス・リンク通信との間のアクセス・リンク・レイテンシを規定する、バックホール・リンク構成要素と、
前記アクセス・リンク・レイテンシおよび前記バックホール・リンク割当にしたがって、前記アクセス・リンク・リソース割当を１または複数のモバイル・デバイスへ送信するアクセス・リンク構成要素と
を備える装置。
【請求項４６】
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満である請求項４５に記載の装置。
【請求項４７】
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルである請求項４６に記載の装置。
【請求項４８】
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含む請求項４５に記載の装置。
【請求項４９】
前記バックホール・リンク割当を受信することは、前記バックホール・リンク割当を、上部レイヤ・メッセージで受信することを含む請求項４８に記載の装置。
【請求項５０】
前記上部レイヤ・メッセージは、持続的な割当である請求項４９に記載の装置。
【手続補正２】
【補正対象書類名】明細書
【補正対象項目名】００７９
【補正方法】変更
【補正の内容】
【００７９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に本願発明の当初の特許請求の範囲に記載された発明を付記する。
［特許請求の範囲］
［Ｃ１］
方法であって、
１または複数のアクセス・ポイントとのバックホール・リンクを維持することと、
前記バックホール・リンクを介して前記１または複数のアクセス・ポイントから情報が受信される１または複数のバックホール・リンク・リソースを決定することと、
アクセス・リンクを介して１または複数のモバイル・デバイスと通信するために、前記１または複数のバックホール・リンク・リソースに基づいて、１または複数のアクセス・リンク・リソースを選択すること
を備える方法。
［Ｃ２］
前記１または複数のアクセス・リンク・リソースは、前記１または複数のバックホール・リンク・リソースとは異なるように選択されるＣ１に記載の方法。
［Ｃ３］
前記１または複数のモバイル・デバイスのうちの少なくとも１つに関連する前記１または複数アクセス・ポイントからのリソース割当を復号することをさらに備えるＣ１に記載の方法。
［Ｃ４］
前記１または複数のアクセス・リンク・リソースはさらに、前記リソース割当てに対応する１または複数のリソースを回避することに少なくとも部分的に基づいて選択されるＣ３に記載の方法。
［Ｃ５］
前記１または複数のアクセス・リンク・リソースによって、前記アクセス・リンクを介して、前記１または複数のモバイル・デバイスと通信することをさらに備えるＣ１に記載の方法。
［Ｃ６］
前記１または複数のアクセス・リンク・リソースに少なくとも部分的に基づいて、前記１または複数のモバイル・デバイスへリソース割当メッセージを送信することをさらに備えるＣ５に記載の方法。
［Ｃ７］
無線通信装置であって、
アクセス・ポイントとのバックホール・リンクを維持し、前記バックホール・リンクがアクティブである１または複数のバックホール・リンク・リソースを予測し、アクセス・リンクを用いてモバイル・デバイスと通信するための、前記１または複数のバックホール・リンク・リソースとは異なるリソースのセットを選択するように構成された少なくとも１つのプロセッサと、
前記少なくとも１つのプロセッサに接続されたメモリと
を備える無線通信装置。
［Ｃ８］
前記少なくとも１つのプロセッサはさらに、前記モバイル・デバイスに関連する前記アクセス・ポイントからリソース割当を受信し、前記リソース割当に関連する、割り当てられたリソースを決定するように構成され、
前記少なくとも１つのプロセッサは、前記リソース割当に関連する、前記割り当てられたリソースとさらに異なるリソースのセットを選択するＣ７に記載の無線通信装置。
［Ｃ９］
前記１または複数のバックホール・リンク・リソースを予測することは、前記アクセス・ポイントから受信されたリソース割当を分析することを含むＣ７に記載の無線通信装置。
［Ｃ１０］
前記少なくとも１つのプロセッサは、前記アクセス・リンクを介して前記モバイル・デバイスと通信するように構成されたＣ７に記載の無線通信装置。
［Ｃ１１］
装置であって、
バックホール・リンクを介して１または複数のアクセス・ポイントと通信する手段と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットをスケジュールする手段と
を備える装置。
［Ｃ１２］
前記スケジュールする手段は、前記１または複数のバックホール・リンク・リソース以外のリソースのセットをスケジュールするＣ１１に記載の装置。
［Ｃ１３］
前記１または複数バックホール・リンク・リソースを決定するために、受信したリソース割当を分析する手段をさらに備えるＣ１１に記載の装置。
［Ｃ１４］
前記受信したリソース割当を分析する手段はさらに、前記１または複数のモバイル・デバイスに関連付けられた前記１または複数のアクセス・ポイントから受信したモバイル・デバイス・リソース割当を評価し、関連付けられたモバイル・デバイス・リソースのセットを決定するＣ１３に記載の装置。
［Ｃ１５］
前記スケジュールする手段は、前記モバイル・デバイス・リソースのセット以外のリソースのセットをスケジュールするＣ１４に記載の装置。
［Ｃ１６］
前記リソースのセットを用いて、前記アクセス・リンクを介して、前記１または複数のモバイル・デバイスと通信する手段をさらに備えるＣ１１に記載の装置。
［Ｃ１７］
コンピュータ読取可能媒体を備えるコンピュータ・プログラム製品であって、
前記コンピュータ読取可能媒体は、
少なくとも１つのコンピュータに対して、１または複数のアクセス・ポイントとのバックホール・リンクを維持させるためのコードと、
前記少なくとも１つのコンピュータに対して、前記バックホール・リンクを介して１または複数のアクセス・ポイントから情報が受信される１または複数のバックホール・リンク・リソースを決定させるためのコードと、
前記少なくとも１つのコンピュータに対して、前記１または複数のバックホール・リンク・リソースに基づいて、アクセス・リンクを介して１または複数のモバイル・デバイスと通信するための１または複数のアクセス・リンク・リソースを選択させるためのコードと
を備えるコンピュータ・プログラム製品。
［Ｃ１８］
前記１または複数のアクセス・リンク・リソースは、前記１または複数のバックホール・リンク・リソースとは異なるように選択されるＣ１７に記載のコンピュータ・プログラム製品。
［Ｃ１９］
前記コンピュータ読取可能媒体はさらに、前記少なくとも１つのコンピュータに対して、前記１または複数のモバイル・デバイスのうちの少なくとも１つに関連する前記１または複数のアクセス・ポイントからのリソース割当を復号させるためのコードを備えるＣ１７に記載のコンピュータ・プログラム製品。
［Ｃ２０］
前記１または複数のアクセス・リンク・リソースはさらに、前記リソース割当に対応する１または複数のリソースを回避することに少なくとも部分的に基づいて選択されるＣ１９に記載のコンピュータ・プログラム製品。
［Ｃ２１］
前記コンピュータ読取可能媒体はさらに、前記少なくとも１つのコンピュータに対して、前記１または複数のアクセス・リンク・リソースの間、前記アクセス・リンクを介して、前記１または複数のモバイル・デバイスと通信させるためのコードを備えるＣ１７に記載のコンピュータ・プログラム製品。
［Ｃ２２］
装置であって、
１または複数のアクセス・ポイントとのバックホール・リンクを維持するバックホール・リンク構成要素と、
１または複数のバックホール・リンク・リソースにおけるバックホール・リンク・アクティビティを決定することに少なくとも部分的に基づいて、アクセス・リンクを介して１または複数のモバイル・デバイスと通信するためのリソースのセットを割り当てるリンク・スケジューリング構成要素と
を備える装置。
［Ｃ２３］
前記リンク・スケジューリング構成要素は、前記１または複数のバックホール・リンク・リソース以外のリソースによって前記リソースのセットを割り当てるＣ２２に記載の装置。
［Ｃ２４］
前記１または複数のバックホール・リンク・リソースを決定するために、受信したリソース割当を分析する割当評価構成要素をさらに備えるＣ２２に記載の装置。
［Ｃ２５］
前記割当評価構成要素はさらに、前記１または複数のモバイル・デバイスに関連する１または複数のアクセス・ポイントから受信したモバイル・デバイス・リソース割当を分析し、関連付けられたモバイル・デバイス・リソースのセットを決定するＣ２４に記載の装置。
［Ｃ２６］
前記リンク・スケジューリング構成要素は、前記モバイル・デバイス・リソースのセット以外のリソースによって前記リソースのセットを割り当てるＣ２５に記載の装置。
［Ｃ２７］
前記リソースのセットを用いて、前記アクセス・リンクを介して前記１または複数のモバイル・デバイスと通信するアクセス・リンク構成要素をさらに備えるＣ２４に記載の装置。
［Ｃ２８］
方法であって、
割当プロトコルにしたがって、バックホール・リンク割当を受信するための時間スロットを決定することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を備える方法。
［Ｃ２９］
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満であるＣ２８に記載の方法。
［Ｃ３０］
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルであるＣ２９に記載の方法。
［Ｃ３１］
前記アクセス・リンク・リソース割当を、制御チャネルを介して１または複数のデバイスへ送信することをさらに備えるＣ３０に記載の方法。
［Ｃ３２］
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含むＣ２８に記載の方法。
［Ｃ３３］
前記バックホール・リンク割当を受信することは、前記バックホール・リンク割当を、上部レイヤ・メッセージで受信することを含むＣ３２に記載の方法。
［Ｃ３４］
前記上部レイヤ・メッセージは、持続的な割当であるＣ３３に記載の方法。
［Ｃ３５］
無線通信装置であって、
割当プロトコルにしたがって、バックホール・リンク割当を受信するための時間スロットを判別することであって、ここで、前記割当プロトコルは、アクセス・リンク・リソース割当と、前記アクセス・リンク・リソース割当によるアクセス・リンク通信との間のアクセス・リンク・レイテンシを規定する、ことと、
前記時間スロット中に、１または複数のアクセス・ポイントから前記バックホール・リンク割当を受信することと
を行うように構成された少なくとも１つのプロセッサと、
前記少なくとも１つのプロセッサに接続されたメモリと
を備える無線通信装置。
［Ｃ３６］
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満であるＣ３５に記載の無線通信装置。
［Ｃ３７］
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルであるＣ３６に記載の無線通信装置。
［Ｃ３８］
前記少なくとも１つのプロセッサはさらに、前記アクセス・リンク・リソース割当を、制御チャネルを介して１または複数のデバイスへ送信するように構成されたＣ３７に記載の無線通信装置。
［Ｃ３９］
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含むＣ３５に記載の無線通信装置。
［Ｃ４０］
前記バックホール・リンク割当を受信することは、前記バックホール・リンク割当を、上部レイヤ・メッセージで受信することを含むＣ３９に記載の無線通信装置。
［Ｃ４１］
前記上部レイヤ・メッセージは、持続的な割当であるＣ４０に記載の無線通信装置。
［Ｃ４２］
装置であって、
割当プロトコルにしたがって、バックホール・リンク割当を受信するための時間スロットを決定する手段であって、ここで、前記割当プロトコルは、アクセス・リンク・リソース割当と、前記アクセス・リンク・リソース割当によるアクセス・リンク通信との間のアクセス・リンク・レイテンシを規定する、手段と、
前記時間スロット中に、１または複数のアクセス・ポイントから前記バックホール・リンク割当を受信する手段と
を備える装置。
［Ｃ４３］
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記固定されたバックホール・リンク・レイテンシ未満であるＣ４２に記載の装置。
［Ｃ４４］
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルであるＣ４３に記載の装置。
［Ｃ４５］
前記アクセス・リンク・リソース割当を、制御チャネルを介して１または複数のデバイスへ送信する手段をさらに備えるＣ４４に記載の装置。
［Ｃ４６］
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含むＣ４２に記載の装置。
［Ｃ４７］
前記バックホール・リンク割当を受信することは、前記バックホール・リンク割当を、上部レイヤ・メッセージで受信することを含むＣ４６に記載の装置。
［Ｃ４８］
前記上部レイヤ・メッセージは、持続的な割当であるＣ４７に記載の装置。
［Ｃ４９］
コンピュータ読取可能媒体を備えるコンピュータ・プログラム製品であって、
前記コンピュータ読取可能媒体は、
少なくとも１つのコンピュータに対して、割当プロトコルにしたがって、バックホール・リンク割当を受信するための時間スロットを決定させるためのコードであって、ここで、前記割当プロトコルは、アクセス・リンク・リソース割当と、前記アクセス・リンク・リソース割当によるアクセス・リンク通信との間のアクセス・リンク・レイテンシを規定する、コードと、
前記少なくとも１つのコンピュータに対して、前記時間スロット中に、１または複数のアクセス・ポイントから前記バックホール・リンク割当を受信させるためのコードと
を備えるコンピュータ・プログラム製品。
［Ｃ５０］
前記アクセス・リンク・レイテンシは固定されたレイテンシであり、
前記割当プロトコルはさらに、前記バックホール・リンク割当とバックホール・リンク通信との間で固定されたものとして、バックホール・リンク・レイテンシを規定し、
前記アクセス・リンク・レイテンシは、前記バックホール・リンク・レイテンシ未満であるＣ４９に記載のコンピュータ・プログラム製品。
［Ｃ５１］
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルであるＣ５０に記載のコンピュータ・プログラム製品。
［Ｃ５２］
前記コンピュータ読取可能媒体はさらに、前記少なくとも１つのコンピュータに対して、前記アクセス・リンク・リソース割当を、制御チャネルを介して１または複数のデバイスへ送信させるためのコードを備えるＣ５１に記載のコンピュータ・プログラム製品。
［Ｃ５３］
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含むＣ４９に記載のコンピュータ・プログラム製品。
［Ｃ５４］
前記バックホール・リンク割当を受信することは、前記バックホール・リンク割当を、上部レイヤ・メッセージで受信することを含むＣ５３に記載のコンピュータ・プログラム製品。
［Ｃ５５］
前記上部レイヤ・メッセージは、持続的な割当であるＣ５４に記載のコンピュータ・プログラム製品。
［Ｃ５６］
装置であって、
割当プロトコルにしたがって、バックホール・リンク割当を受信するための時間スロットを決定し、前記時間スロット中に、１または複数のアクセス・ポイントから前記バックホール・リンク割当を受信するバックホール・リンク構成要素であって、ここで、前記割当プロトコルは、アクセス・リンク・リソース割当と、前記アクセス・リンク・リソース割当によるアクセス・リンク通信との間のアクセス・リンク・レイテンシを規定する、バックホール・リンク構成要素と、
前記アクセス・リンク・レイテンシおよび前記バックホール・リンク割当にしたがって、前記アクセス・リンク・リソース割当を１または複数のモバイル・デバイスへ送信するアクセス・リンク構成要素と
を備える装置。
［Ｃ５７］
前記アクセス・リンク・レイテンシは固定されたレイテンシであり、
前記割当プロトコルはさらに、前記バックホール・リンク割当とバックホール・リンク通信との間で固定されたバックホール・リンク・レイテンシを規定し、
前記アクセス・リンク・レイテンシは、前記バックホール・リンク・レイテンシ未満であるＣ５６に記載の装置。
［Ｃ５８］
前記アクセス・リンク・リソース割当は、前記アクセス・リンク通信を、アクセス・リンク時間スロットに割り当てる物理チャネルであり、
前記バックホール・リンク割当は、前記バックホール・リンク通信を、バックホール・リンク時間スロットに割り当てる別の物理チャネルであるＣ５７に記載の装置。
［Ｃ５９］
前記割当プロトコルはさらに、前記バックホール・リンク割当とバックホール・リンク通信との間の可変のバックホール・リンク・レイテンシを規定し、
前記バックホール・リンク割当は、１または複数の時間スロットと、期間にわたる前記１または複数の時間スロットの周期性とに関する情報を含むＣ５６に記載の装置。
［Ｃ６０］
前記バックホール・リンク割当を受信することは、前記バックホール・リンク割当を、上部レイヤ・メッセージで受信することを含むＣ５９に記載の装置。
［Ｃ６１］
前記上部レイヤ・メッセージは、持続的な割当であるＣ６０に記載の装置。
【外国語明細書】
2014096825000001.pdf